(57)【特許請求の範囲】
【請求項１】
カラオケ装置で使用されるマイクロホンについて、その使用状況に応じた情報を報知するためのシステムであって、
マイクロホン識別手段と、使用時間累積手段と、報知情報管理手段と、報知手段と、を備え、
前記マイクロホン識別手段は、各マイクロホンに付与された固有の識別情報に基づいて各マイクロホンを識別し、
前記使用時間累積手段は、任意の楽曲が演奏された際にオン状態となっているマイクロホンについて、当該楽曲の歌唱区間と非歌唱区間とを区別し、歌唱区間に対応する演奏時間を当該マイクロホンの実使用時間として累積し、実使用時間データベースとして記憶させ、
前記報知情報管理手段は、前記マイクロホンの前記識別情報に応じて、報知すべき情報と、当該情報の報知時期とを前記実使用時間の所定値毎に対応付けて、報知情報データベースとして管理し、
前記報知手段は、前記実使用時間データベース及び前記報知情報データベースを参照して、マイクロホン毎に、前記累積した実使用時間と前記実使用時間の所定値とを比較し、前記累積した実使用時間が前記実使用時間の所定値の何れかに達した場合に、当該実使用時間の所定値に対応する情報を報知部にて報知する、
ことを特徴とするカラオケ用マイクロホンの使用状況報知システム。
【発明の詳細な説明】
【技術分野】
【０００１】
本発明は、カラオケ装置で使用されるマイクロホンについて、その使用状況に応じた情報を報知するためのシステムに関し、例えば、簡易清掃時期、充電時期、分解清掃時期、電池ユニット交換時期、廃棄時期等を報知することが可能なシステムに関するものである。
【背景技術】
【０００２】
一般的に、カラオケ装置で使用される動電型のダイナミックマイクロホンにおいて、各種の部品（圧電変換部や電池）の寿命や、本体の汚れ具合は、その使用頻度に影響される。特に、カラオケ装置でマイクロホンを使用するのは歌唱を行っている場合が殆どであるため、歌唱時間がマイクロホンの寿命や汚れ具合に影響を与えるのは確かである。
【０００３】
カラオケナイト店やカラオケボックスで使用するマイクロホンについて考察すると、長期的には電池寿命によるトラブルの発生が考えられ、短期的には風防部やグリップ部が汚れて利用者に不快感を与えるというトラブルの発生が考えられる。そこで、カラオケ装置で使用するマイクロホンについて、電池が寿命を迎えたり、風防部やグリップ部が汚れたりする前に、消耗部品や電池の交換、風防部やグリップ部の清掃・消毒等を行うことが好ましい。
【０００４】
従来、マイクロホン等の電気機器を動作させるための電池残量を検知する方法が提案されている（特許文献１参照）。この特許文献１に記載された技術は、電池の使用開始時に、電池残量カウンタに対して電池の使用条件に基づく初期値を設定し、電池の使用中に、一定時間毎に電池残量カウンタを減算し、電池残量カウンタの残量値から電池残量を検知するようになっている。
【０００５】
【特許文献１】特開２００３−１５１６４５号公報
【発明の開示】
【発明が解決しようとする課題】
【０００６】
しかしながら、上記特許文献１に記載された技術は、電池の使用時間に基づいて電池残量を検知する技術であり、他の消耗部品の交換時期や、部品の清掃時期等を報知するものではない。また、上述したように、カラオケ装置では、その使用状況が一般的な電気機器とは異なり、歌唱時間がマイクロホンの寿命や汚れ具合に影響を与えるため、カラオケ装置に使用するマイクロホン独自の方法で、その使用状況に応じた情報を報知する方法を考える必要がある。このような状況の中、カラオケ装置で使用されるマイクロホンについて、メンテナンス時期を適切に報知するための技術の開発が望まれていた。
【０００７】
本発明のカラオケ用マイクロホンの使用状況報知システムは、上述した事情に鑑み提案されたもので、カラオケ装置で使用されるマイクロホンについて、簡易清掃時期、充電時期、分解清掃時期、電池ユニット交換時期、廃棄時期等のメンテナンス時期を適切に報知することを目的とするものである。
【課題を解決するための手段】
【０００８】
本発明は上述した事情に鑑み提案されたもので、カラオケ装置で使用されるマイクロホンについて、その使用状況に応じた情報を報知するためのシステムであって、マイクロホン識別手段と、使用時間累積手段と、報知情報管理手段と、報知手段と、を備えたことを特徴としている。
【０００９】
マイクロホン識別手段は、各マイクロホンに付与された固有の識別情報に基づいて各マイクロホンを識別するための手段である。使用時間累積手段は、任意の楽曲が演奏された際にオン状態となっているマイクロホンについて、当該楽曲の歌唱区間と非歌唱区間とを区別し、歌唱区間に対応する演奏時間を当該マイクロホンの実使用時間として累積し、実使用時間データベースとして記憶させるための手段である。報知情報管理手段は、マイクロホンの識別情報に応じて、報知すべき情報と、当該情報の報知時期とを実使用時間の所定値毎に対応付けて、報知情報データベースとして管理するための手段である。報知手段は、実使用時間データベース及び報知情報データベースを参照して、マイクロホン毎に、累積した実使用時間と実使用時間の所定値とを比較し、累積した実使用時間が実使用時間の所定値の何れかに達した場合に、当該実使用時間の所定値に対応する情報を報知部にて報知するための手段である。
【００１０】
ここで、マイクロホンの識別情報に応じて報知すべき情報とは、例えば、簡易清掃時期、充電時期、分解清掃時期、電池ユニット交換時期、廃棄時期等に関する情報のことである。また、報知部とは、例えば、マイクロホンに設けられたＬＥＤ発光部、カラオケ装置に付帯した表示手段（メインモニタ、専用のサブモニタ）、カラオケリモコン装置の入出力用表示部（ＬＣＤモニタ）のことである。
【００１１】
このような構成からなるカラオケ用マイクロホンの使用状況報知システムでは、マイクロホンの識別情報に応じて、報知すべき情報と、情報の報知時期とを実使用時間の所定値毎に対応付けて、報知情報データベースとして管理する。また、楽曲が演奏される際に使用されているマイクロホンを識別情報に基づいて特定し、当該マイクロホンについて、当該楽曲の歌唱区間に対応する演奏時間を実使用時間として累積し、実使用時間データベースとして記憶させる。そして、報知手段により、累積した実使用時間と実使用時間の所定値とを比較し、累積した実使用時間が実使用時間の所定値の何れかに達すると、当該実使用時間の所定値に対応して、簡易清掃時期、充電時期、分解清掃時期、電池ユニット交換時期、廃棄時期等が到来した旨を報知部にて報知する。
【発明の効果】
【００１２】
本発明のカラオケ用マイクロホンの使用状況報知システムによれば、楽曲が演奏された際にオン状態となっているマイクロホンについて、楽曲の歌唱区間に対応する演奏時間を、当該マイクロホンが実際に使用されている実使用時間として累積し、実使用時間データベースとして記憶させる。そして、累積された実使用時間が所定値に達すると、報知部において実使用時間の所定値に対応する情報（例えば、簡易清掃時期、充電時期、分解清掃時期、電池ユニット交換時期、廃棄時期）を報知するようになっている。
したがって、カラオケ装置で使用されるマイクロホンについて、簡易清掃時期、充電時期、分解清掃時期、電池ユニット交換時期、廃棄時期等のメンテナンス時期を適切に報知することができる。
【発明を実施するための最良の形態】
【００１３】
＜システムの概要＞
以下、図面を参照して本発明のカラオケ用マイクロホンの使用状況報知システムの実施形態を説明する。図１は、本発明の実施形態に係るカラオケ用マイクロホンの使用状況報知システムを適用するカラオケ装置の構成を示すブロック図である。
【００１４】
本発明の実施形態に係るカラオケ用マイクロホンの使用状況報知システムは、図１に示すように、カラオケ装置１０で使用するマイクロホン４４の使用状況を報知することにより、簡易清掃時期、充電時期、分解清掃時期、電池ユニット交換時期、廃棄時期等のメンテナンス時期を適切に報知するためのシステムであり、後に詳述するように、マイクロホン識別手段３２、使用時間累積手段２７、報知情報管理手段２６、報知手段３３を主要な構成要素としている。本実施形態において、各手段はカラオケ装置１０に組み込まれている。
【００１５】
＜カラオケ装置＞
本発明の実施形態に係るカラオケ用マイクロホンの使用状況報知システムを適用するカラオケ装置１０は、図１に示すように、カラオケ本体２０、カラオケリモコン装置４１、ミキシングアンプ４２、スピーカ４３、マイクロホン４４、表示手段４５を備えている。カラオケ本体２０と表示手段４５とは、有線方式又は無線方式により接続されている。
【００１６】
＜マイクロホン＞
本実施形態のマイクロホン４４は、ＦＭ波を用いてマイクロホン送受信装置４６との間で、音声信号等を送受信できるようになっている。また、マイクロホン４４には、識別情報を記憶したＩＣチップ４４ｂが搭載されている。さらに、マイクロホン４４との間で信号の送受信を行うマイクロホン送受信装置４６は、ミキシングアンプ４２及び入出力Ｉ／Ｆ（入出力インターフェイス）３１に接続されている。
【００１７】
マイクロホン４４から入力された歌唱音声は、マイクロホン送受信装置４６を介してミキシングアンプ４２に入力される。また、マイクロホン４４からマイクロホン送受信装置４６へ送信される信号には、ＩＣチップ４４ｂに記憶された識別情報が含まれており、マイクロホン４４がオン状態となっている場合に、マイクロホン送受信装置４６及び入出力Ｉ／Ｆ３１を介して、マイクロホン識別手段３２に識別情報が送信される。
【００１８】
さらに、マイクロホン４４には、報知部として機能するＬＥＤ発光部４４ａが設けられている。後に詳述するが、報知手段３３による報知を行う際に、報知手段３３からの報知信号が、入出力Ｉ／Ｆ３１及びマイクロホン送受信装置４６を介してマイクロホン４４へ送信され、ＬＥＤ発光部４４ａが点滅する。
なお、本実施形態では、マイクロホン４４をワイヤレスマイクとしたが、ワイヤードマイクを用いてもよい。また、図１に示す例では、１本のマイクロホン４４が示されているが、一般的には、２本以上のマイクロホン４４が使用される。
【００１９】
＜カラオケリモコン装置＞
カラオケリモコン装置４１は、ユーザインタフェース機能を備えており、カラオケ本体２０のローカル送受信手段２８に対して有線方式又は無線方式によりデータの送受信を行うようになっており、データの送受信を行うための回路基板及びプログラムと、楽曲検索手段４１ａとして機能させるためのプログラムと、楽曲索引データベース４１ｂと、一時記憶領域であるフラッシュメモリ（図示せず）とを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００２０】
＜楽曲索引データベース＞
楽曲検索手段４１ａが参照する楽曲索引データベース４１ｂは、カラオケ装置１０で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。なお、ネットワークカラオケシステムの場合には、カラオケ装置１０がホスト装置と通信を行う際に、適宜なタイミングで楽曲索引データベース４１ｂの内容が最新のものに更新される。
【００２１】
＜カラオケ本体＞
カラオケ本体２０は、バス２１、中央制御手段２２、ＲＯＭ２３、ＲＡＭ２４、ＨＤＤ２５、報知情報管理手段２６、使用時間累積手段２７、ローカル送受信手段２８、予約管理手段２９、音楽曲出力手段３０、入出力Ｉ／Ｆ３１、マイクロホン識別手段３２、報知手段３３、再生制御手段３４を備えている。また、本実施形態では、カラオケ本体２０にサブモニタ４７が組み込まれている。サブモニタ４７は、デモンストレーション映像や各種の情報を表示するためのモニタであり、例えば液晶表示装置からなる。
【００２２】
＜中央制御手段＞
中央制御手段２２は、カラオケ装置１０を総合的に制御するための手段であり、例えばＣＰＵ及びその周辺機器により構成されており、ＣＰＵ等がＲＯＭ２３等に記憶されたアプリケーションプログラムに従って動作することにより、制御機能を発揮することができるようになっている。
【００２３】
＜ＲＯＭ／ＲＡＭ＞
ＲＯＭ２３は、カラオケ装置１０を構成する各機器を制御するためのアプリケーションプログラムデータや数値データを記憶するための機器で、例えば半導体メモリ等で構成される。また、ＲＡＭ２４は、アプリケーションプログラムや種々のデータを一時的に読み込む一時記憶領域として機能する機器で、例えば半導体メモリ等で構成される。なお、物理的な半導体メモリによりＲＡＭ２４を構成するのではなく、ハードディスク記憶装置等を用いて仮想的なＲＡＭ２４を構成してもよい。本実施形態では、ＲＡＭ２４に予約待ち行列２４ａが格納されている。
【００２４】
＜ＨＤＤ＞
大容量記憶装置であるＨＤＤ２５は、楽曲データベース（ＤＢ）２５ａ、映像データベース（ＤＢ）２５ｂ、報知情報データベース（ＤＢ）２５ｃ、実使用時間データベース（ＤＢ）２５ｄを格納するための手段である。なお、大容量記憶装置としては、ＨＤＤ２５の他に、データを書き替え可能なＤＶＤ等を用いることができる。
楽曲データベース２５ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。
映像データベース２５ｂは、演奏される楽曲に対応した背景映像を、当該楽曲の楽曲ＩＤに対応させた映像ファイルとして所定数格納したデータベースである。
報知情報データベース２５ｃ及び実使用時間データベース２５ｄについては、後に詳述する。
【００２５】
＜報知情報管理手段＞
報知情報管理手段２６は、マイクロホン４４の識別情報に応じて、報知すべき情報と、当該情報の報知時期とを実使用時間の所定値毎に対応付けて、報知情報データベース２５ｃとして管理するためのプログラムからなる。
図２は、報知情報データベースの構成を示す説明図である。報知情報データベース２５ｃは、図２に示すように、情報の報知タイミングを示す所定基準値と、報知すべき情報とを対応付けて格納したデータベースであり、具体的には、簡易清掃時期、充電時期、分解清掃時期、電池ユニット交換時期、廃棄時期に対応する所定基準値が格納されている。報知手段３３は、この報知情報データベース２５ｃ及び実使用時間データベース２５ｄを参照することにより、累積された実使用時間と、情報の報知タイミングを示す所定基準値とを比較し、累積した実使用時間が実使用時間の所定値の何れかに達した場合に、該当する情報を報知部にて報知する。
なお、図２において、所定基準値の単位は、例えば時間であるが、日、分、秒等、時間に関連する他の単位を用いてもよい。
【００２６】
＜マイクロホン識別手段＞
マイクロホン識別手段３２は、各マイクロホン４４に付与された固有の識別情報に基づいて各マイクロホン４４を識別するためのプログラムからなる。マイクロホン識別手段３２は、マイクロホン４４がオン状態となった場合に、マイクロホン４４から識別情報を取得し、この識別情報に基づいてマイクロホン４４を識別する。具体的には、識別情報は各マイクロホン４４にそれぞれ付与されたマイクロホンＩＤからなる。また、ネットワーク接続されたマイクロホン４４を用いる場合には、識別情報として、マイクロホン４４に設定されたＭＡＣアドレス（Ｍｅｄｉａ  Ａｃｃｓｅｓｓ  Ｃｏｎｔｒｏｌ  ａｄｄｒｅｓｓ）を用いることもできる。
【００２７】
＜使用時間累積手段＞
使用時間累積手段２７は、任意の楽曲が演奏された際にオン状態となっているマイクロホン４４について、当該楽曲の歌唱区間と非歌唱区間とを区別し、歌唱区間に対応する演奏時間を当該マイクロホン４４の実使用時間として累積し、実使用時間データベース２５ｄとして記憶させるためのプログラムからなる。なお、マイクロホン４４の実使用時間をただ単に累積管理してもよいが、報知すべき複数の情報毎に実使用時間を累積管理してもよい。
【００２８】
図３は実使用時間データベースの構成を示す説明図、図４は実使用時間の累積を説明するための説明図である。
図４に示す例では、任意の楽曲について、歌唱区間は（１）〜（９）であり、前奏区間、間奏区間、後奏区間は、非歌唱区間となっている。
【００２９】
そして、任意の楽曲が演奏された際に、歌唱区間（１）〜（３）において、マイクロホンＡ（ＩＤ／０１）がオン状態となっており、マイクロホンＢ（ＩＤ／０２）がオフ状態となっている。したがって、歌唱区間（１）〜（３）では、オン状態となっているマイクロホンＡ（ＩＤ／０１）について、実使用時間が累積される。
【００３０】
また、歌唱区間（４）〜（６）において、マイクロホンＡ（ＩＤ／０１）がオフ状態となっており、マイクロホンＢ（ＩＤ／０２）がオン状態となっている。したがって、歌唱区間（４）〜（６）では、オン状態となっているマイクロホンＢ（ＩＤ／０２）について、実使用時間が累積される。
【００３１】
また、歌唱区間（７）〜（９）において、マイクロホンＡ（ＩＤ／０１）及びマイクロホンＢ（ＩＤ／０２）の双方がオン状態となっている。したがって、歌唱区間（７）〜（９）では、オン状態となっているマイクロホンＡ（ＩＤ／０１）及びマイクロホンＢ（ＩＤ／０２）の双方について、実使用時間が累積される。
実使用時間の累積値は、図３に示すように、実使用時間データベース２５ｄにおいてマイクロホン毎に格納される。
【００３２】
＜報知手段＞
報知手段３３は、実使用時間データベース２５ｄ及び報知情報データベース２５ｃを参照して、マイクロホン４４毎に、累積した実使用時間と実使用時間の所定値とを比較し、累積した実使用時間が実使用時間の所定値の何れかに達した場合に、当該実使用時間の所定値に対応する情報を報知部にて報知するためのプログラムからなる。
本実施形態では、マイクロホン４４に設けられたＬＥＤ発光部４４ａ及びカラオケ本体２０に設けたサブモニタ４７が報知部として機能する。また、カラオケリモコン装置４１の入出力用表示部（図示せず）やマイクロホン４４の充電台に設けたＬＥＤ発光部等を報知部として機能させてもよい。
【００３３】
図５は、報知手段による報知例を示す説明図である。報知手段３３による報知は、図５に示すように、カラオケ本体２０に設けたサブモニタ４７の表示画面に報知情報を表示することにより行われる。図５に示す例は、分解清掃を促す情報を報知したものである。
例えば、報知情報データベース２５ｃ（図２）及び実使用時間データベース２５ｄ（図３）を参照すると、マイクロホンＢ（ＩＤ／０２）は、実使用時間が４５０．０時間であり、分解清掃を行うべき時期であるため、図５に示すように、カラオケ本体２０に設けたサブモニタ４７の表示画面に分解清掃を促す情報が報知される。この際、マイクロホンＢ（ＩＤ／０２）に設けたＬＥＤ発光部４４ａを点滅あるいは点灯させて、メンテナンス時期である旨を報知するようにしてもよい。
【００３４】
なお、簡易清掃と分解清掃のように、軽メンテナンスと重メンテナンスの時期が重なっている場合には、軽メンテナンスの内容を含む重メンテナンスのみについて報知を行えばよい。すなわち、図３に示す例において、マイクロホンＢ（ＩＤ／０２）は、実使用時間が４５０．０時間であり、簡易清掃、充電、分解清掃の時期となっているが、重メンテナンスである分解清掃を行うと、軽メンテナンスである簡易清掃及び充電も行うことになるため、重メンテナンスである分解清掃のみを報知すればよい。
【００３５】
マイクロホンＡ（ＩＤ／０１）についても、同様に報知が行われる。すなわち、報知情報データベース２５ｃ（図２）及び実使用時間データベース２５ｄ（図３）を参照すると、マイクロホンＡ（ＩＤ／０１）は、実使用時間が３３０．０時間であり、簡易清掃及び充電を行うべき時期であるため、カラオケ本体２０に設けたサブモニタ４７の表示画面に簡易清掃及び充電を促す情報が報知される。この際、マイクロホンＡ（ＩＤ／０１）に設けたＬＥＤ発光部４４ａを点滅あるいは点灯させて、メンテナンス時期である旨を報知するようにしてもよい。
【００３６】
報知手段３３による報知は、累積した実使用時間が実使用時間の所定値の何れかに達した場合に行われるが、この報知は、リセット処理が行われるまで継続される。この場合、リセット処理が行われるまで絶え間なく報知を行ってもよいし、予め定めた一定時間毎に報知を行ってもよい。リセット処理は、例えば、カラオケ本体２０に設けたリセットボタン（図示せず）を操作することにより実行される。また、報知すべき複数の情報毎に実使用時間を累積管理している場合には、報知すべき情報毎に実使用時間の累積値をリセットしてもよい。
【００３７】
＜送受信手段＞
ローカル送受信手段２８は、カラオケリモコン装置４１との間でデータの送受信を行うための電子回路及びプログラムからなる。なお、カラオケ装置１０をスタンドアロンで使用するのではなく、ネットワークを介して複数のカラオケ装置１０（カラオケ演奏端末）とホスト装置とを接続して、ネットワークカラオケシステムを構築する場合には、ローカル送受信手段２８の他に、通信ネットワークにおける通信方式の整合性を保つための電子回路及びプログラムからなるネットワーク送受信手段を備える。
【００３８】
＜予約管理手段＞
予約管理手段２９は、利用者によりカラオケリモコン装置４１における楽曲検索手段４１ａの機能を用いて選曲され、ローカル送受信手段２８を介して送信された当該選曲者を識別するための利用者ＩＤ、及び選曲された楽曲ＩＤを対応付けて予約待ち行列２４ａとしてＲＡＭ２４に格納し、管理するためのプログラムである。なお、楽曲選択の表示や予約待ち行列２４ａの表示は、カラオケリモコン装置４１の入出力用表示部、表示手段４５、及びサブモニタ４７の何れか一つ、あるいはこれらのすべてで行うことができる。
予約待ち行列２４ａは、例えば、楽曲が予約された順番に、楽曲ＩＤ、利用者ＩＤ等を関連付けて記憶したもので、予約待ち行列２４ａに記憶された順番で楽曲が演奏される。
【００３９】
＜音楽曲出力手段＞
音楽曲出力手段３０は、楽曲ＩＤに基づいて楽曲データベース２５ａから抽出された演奏データをデジタル再生すると共にアナログ変換してミキシングアンプ４２に出力するための電子回路である。ミキシングアンプ４２は、マイクロホン４４から入力された歌唱者の歌唱音声信号と、音楽曲出力手段３０から送出される演奏音声信号とをミキシングすると共に、アンプ機能により増幅してスピーカ４３より出力させるための装置である。
【００４０】
＜再生制御手段＞
再生制御手段３４は、カラオケ演奏中に、映像データベース２５ｂから抽出した映像データ、及び楽曲データベース２５ａから抽出した楽曲データのうちの歌詞テロップデータ（歌詞文字データ）を当該楽曲の演奏データに同期させて表示手段４５に出力するための電子回路である。さらに、再生制御手段３４は、カラオケリモコン装置４１を介した利用者からの操作指示による予約楽曲リストの表示等を表示手段４５に表示させる機能や、サブモニタ４７に映像を表示させる機能も有している。
【００４１】
＜表示手段＞
表示手段４５は、カラオケ演奏時の映像、歌詞テロップ等を表示するための装置で、例えば、ＣＲＴディスプレイ、液晶ディスプレイ、プラズマディスプレイ等により構成される。なお、表示手段４５を報知部としても機能させてもよい。
【００４２】
＜報知情報データベース構築処理／情報報知処理＞
次に、図６及び図７を参照して、本発明の実施形態に係るカラオケ用マイクロホンの使用状況報知システムにおいて、報知情報データベース２５ｃを構築する処理と、情報を報知する処理とについて説明する。
図６は、報知情報データベース構築処理の手順を示すフローチャート、図７は、情報報知処理の手順を示すフローチャートである。
報知情報データベース構築処理では、図６に示すように、マイクロホン４４の種別毎（識別情報毎）に、報知情報と所定基準値とを対応付けて、報知情報データベース２５ｃを構築し、管理する（Ｓ１）。
【００４３】
情報報知処理では、図７に示すように、楽曲の演奏が開始したか否かを判断し（Ｓ１１）、楽曲の演奏が開始すると、オン状態のマイクロホン４４を特定する（Ｓ１２）。続いて、特定されたマイクロホン４４について、歌唱区間を実使用時間として累積し、実使用時間データベース２５ｄに記憶する（Ｓ１３）。そして、楽曲の演奏が終了するまでの間（Ｓ１４）、マイクロホンの特定処理（Ｓ１２）及び実使用時間の累積処理（Ｓ１３）を繰り返して実行する。なお、Ｓ１２及びＳ１３の処理は、オン状態のマイクロホン４４について実行する実使用時間の累積に関する処理である。楽曲が演奏されていない場合には、上述した各処理（Ｓ１２及びＳ１３）は行わない。
【００４４】
楽曲の演奏が終了すると、報知情報データベース２５ｃ及び実使用時間データベース２５ｄを参照し、所定基準値と実使用時間とを比較する（Ｓ１５）。そして、実使用時間が所定基準値以上であるか否かを判断し（Ｓ１６）、実使用時間が所定基準値以上である場合には、所定基準値に対応する情報を報知部に報知する（Ｓ１７）。一方、実使用時間が所定基準値未満である場合には、情報の報知タイミングではないので、情報の報知は行わない。
【００４５】
＜他の実施形態＞
本発明のカラオケ用マイクロホンの使用状況報知システム及びその周辺装置を構成する機器や手段は上述したものに限定されず、カラオケ用マイクロホンの使用状況報知システム及びカラオケ装置１０の利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
また、カラオケ装置１０を単独で使用するのではなく、インターネット回線等の通信ネットワークを介して、カラオケ装置１０とホスト装置と接続し、ネットワークカラオケシステムを構築してもよい。
【図面の簡単な説明】
【００４６】
【図１】本発明の実施形態に係るカラオケ用マイクロホンの使用状況報知システムを適用するカラオケ装置の構成を示すブロック図。
【図２】報知情報データベースの構成を示す説明図。
【図３】実使用時間データベースの構成を示す説明図。
【図４】実使用時間の累積を説明するための説明図。
【図５】報知手段による報知例を示す説明図。
【図６】報知情報データベース構築処理の手順を示すフローチャート。
【図７】情報報知処理の手順を示すフローチャート。
【符号の説明】
【００４７】
１０  カラオケ装置
２０  カラオケ本体
２１  バス
２２  中央制御手段
２３  ＲＯＭ
２４  ＲＡＭ
２４ａ  予約待ち行列
２５  ＨＤＤ
２５ａ  楽曲データベース
２５ｂ  映像データベース
２５ｃ  報知情報データベース
２５ｄ  実使用時間データベース
２６  報知情報管理手段
２７  使用時間累積手段
２８  ローカル送受信手段
２９  予約管理手段
３０  音楽曲出力手段
３１  入出力Ｉ／Ｆ
３２  マイクロホン識別手段
３３  報知手段
３４  再生制御手段
４１  カラオケリモコン装置
４１ａ  楽曲検索手段
４１ｂ  楽曲索引データベース
４２  ミキシングアンプ
４３  スピーカ
４４  マイクロホン
４４ａ  ＬＥＤ発光部
４４ｂ  ＩＣチップ
４５  表示手段
４６  マイクロホン送受信装置
４７  サブモニタ
【図１】
0005203774.tif 000002
【図２】
0005203774.tif 000003
【図３】
0005203774.tif 000004
【図４】
0005203774.tif 000005
【図５】
0005203774.tif 000006
【図６】
0005203774.tif 000007
【図７】
0005203774.tif 000008